(57)【要約】【課題】サンバイザーにおいて衝突時の衝撃力をより一層緩和すると共に配線作業を容易にする。【解決手段】フロントルーフレール３にＬ字状開口４を設け、開口４を跨ぐ薄板のブラケット５をフロントルーフレールに固着し、ブラケットにより、サンバイザー１の支持軸６ａを回動自在に支持するホルダ部材７を支持する。車両衝突時に乗員の頭部がサンバイザーに当たった場合に、支持軸よりも剛性の低いブラケットがサンバイザーへの衝撃荷重により変形するため、衝撃荷重をブラケットの変形により緩和することができる。さらに、支持軸がブラケットの変形に伴って移動するが、支持軸は開口を介してフロントルーフレールの裏側に移動できるため、支持軸の移動量を大きく取ることができ、ブラケットの大きな変形により、衝撃荷重をより一層大きく緩和することができる。【選択図】図１
2010111364.tif 000002
【特許請求の範囲】
【請求項１】
車体の車室内前方に配置されるサンバイザーを回動自在に設けたサンバイザーの取り付け構造であって、
前記サンバイザーから一体的に突出する支持軸と、前記支持軸をフロントルーフレールに対して回動自在に支持するホルダ部材とを有し、
前記フロントルーフレールに前記支持軸をその軸線方向に移動可能にする開口が設けられ、
前記ホルダ部材を支持しかつ前記支持軸よりも剛性の低いブラケットが前記開口を跨ぐように設けられていることを特徴とするサンバイザーの取り付け構造。
【請求項２】
前記フロントルーフレールに、前記開口と連通しかつ前記サンバイザーの通線のための作業用開口が設けられていることを特徴とする請求項１に記載のサンバイザーの取り付け構造。
【請求項３】
前記開口が前記車体の車幅方向に延在し、かつ前記作業用開口が前記車体の前後方向に延在していることを特徴とする請求項２に記載のサンバイザーの取り付け構造。
【発明の詳細な説明】
【技術分野】
【０００１】
本発明は、サンバイザーを天井に沿って回動自在に設けたサンバイザーの取り付け構造に関するものである。
【背景技術】
【０００２】
従来、自動車の車室内天井の車両前端部に設けられたサンバイザーにおいて、フロントウィンドウだけでなくサイドウィンドウからの日射しを遮るために、フロントピラーの近傍に取り付けられた支持軸回りに回動自在に設けられたものがある。（例えば特許文献１参照）。
【０００３】
また、サンバイザーには照明灯付き化粧鏡を装備したものがあり、その場合には配線用ハーネスをルーフパネルの天井裏からサンバイザーに配線する必要がある。その配線経路は上記したサンバイザーの場合には支持軸をパイプ状に形成して、その中を通線するようにしている（例えば特許文献２参照）
【特許文献１】特許第４０１３３４３号公報
【特許文献２】特許第３９５３７９０号公報
【発明の開示】
【発明が解決しようとする課題】
【０００４】
一方、車両衝突時に乗員の頭部がサンバイザーの上記支持軸に衝突する場合が考えられる。その場合の衝撃エネルギを緩和するために上記特許文献１では、支持軸を回動自在に支持するホルダ部材をインナーパネル（フロントルーフレール）に形成した片持ち平板部で片持ち支持し、片持ち支持されたホルダ部材の片持ち支持側とは相反する側に開口部を設け、乗員頭部の衝撃により片持ち平板部が変形すると共にホルダ部材の開口部側がインナーパネルと干渉することなく変位し得ることにより衝撃力を緩和することができるとしている。しかしながら、上記構造では、衝撃個所（打点）によってはホルダ部材の移動量が変わり、衝撃力を常に大幅に緩和することができないという問題がある。
【０００５】
また、サンバイザーに配線する構造の場合には、上記衝撃力緩和に加えて、配線作業のし易さも考慮する必要がある。上記特許文献２では、コネクタ固定用カバーを設けてコネクタを容易に案内することができるようにすると共に、カバー本体の上面に脆弱部を形成して、カバー本体の下側から上方向へ衝撃荷重が入力された場合にカバー本体が上下方向に潰れやすくなるようにして、衝撃力を緩和することができるとしている。しかしながら、カバー本体と共にサンバイザーのベース部材（ホルダ部材）をフロントルーフレールにボルト止めするためのナット付きボディブラケットを設けており、ボディブラケットの高さによりサンバイザーのベース部材の移動量が制限されてしまうという問題がある。
【課題を解決するための手段】
【０００６】
このような課題を解決して、衝突時の衝撃力をより一層緩和すると共に配線が必要な場合でもその配線作業を容易にすることを実現するために本発明に於いては、車体の車室内前方に配置されるサンバイザー（１）を回動自在に設けたサンバイザーの取り付け構造であって、前記サンバイザー（１）から一体的に突出する支持軸（６ａ）と、前記支持軸（６ａ）をフロントルーフレール（３）に対して回動自在に支持するホルダ部材（７）とを有し、前記フロントルーフレール（３）に前記支持軸（６ａ）をその軸線方向に移動可能にする開口（４ａ）が設けられ、前記ホルダ部材（７）を支持しかつ前記支持軸（６ａ）よりも剛性の低いブラケット（５）が前記開口（４ａ）を跨ぐように設けられているものとした。
【０００７】
特に、前記フロントルーフレール（３）に、前記開口（４ａ）と連通しかつ前記サンバイザー（１）の通線のための作業用開口（４ｂ）が設けられていると良く、また、前記開口（４ａ）が前記車体の車幅方向に延在し、かつ前記作業用開口（４ｂ）が前記車体の前後方向に延在していると良い。
【発明の効果】
【０００８】
このように本発明によれば、車両衝突時に乗員の頭部がサンバイザーに当たった場合に、支持軸よりも剛性の低いブラケットがサンバイザーへの衝撃荷重により変形するため、衝撃荷重をブラケットの変形により緩和することができる。さらに、支持軸がブラケットの変形に伴って移動するが、支持軸は開口を介してフロントルーフレールの裏側に移動できるため、支持軸の移動量を大きく取ることができ、ブラケットの大きな変形により、衝撃荷重をより一層大きく緩和することができる。
【０００９】
特に、フロントルーフレールに開口と連通する作業用開口が設けられていることにより、開口および作業用開口とを合わせた大きな開口ができるため、フロントルーフレールの裏側での配線作業のアクセスを大きな開口を介して容易に行うことができる。また、開口が車幅方向に延在しかつ作業用開口が車体前後方向に延在することにより、配線用開口を介しての配線作業を車室の広い後方からアクセスして行うことができ、配線作業を容易に行うことができる。
【発明を実施するための最良の形態】
【００１０】
以下、本発明の実施の形態を、図面を参照しながら説明する。図１は本発明が適用された自動車の左前席側のサンバイザー１の取り付け部分を、ルーフライニング等を装着していない状態で示す要部斜視図である。また、サンバイザー１は左前席の左サイドウィンドウ側に位置している。なお、本図示例では左側前席のサンバイザーについて示すが、他の場所の同様に取り付けられるサンバイザーにも適用可能である。
【００１１】
図１において、屋根の一部であるルーフパネル２の車両前端部かつ車室側にはフロントルーフレール３が固着されている。フロントルーフレール３は、公知の自動車のフレーム構造に用いられている鋼板をプレス加工して形成されたものであり、ルーフパネル２の適所にスポット溶接され、ルーフパネル２の前縁に沿って車室内天井の車幅方向一杯に延在している。
【００１２】
フロントルーフレール３の車幅方向左側端部の所定の位置にはＬ字状の孔４が設けられている。孔４は、図２に併せて示されるように、車体の車幅方向に所定長延在する開口４ａと、開口４ａと連通しかつ開口４ａに対して略直角に曲折されて車体の前後方向に延在する作業用開口４ｂとからなる。図示例では作業用開口４ｂは開口４ａより車体後方に延びるようにされているが、レイアウトによっては逆の車体前方に延びるようにされていても良い。
【００１３】
また、フロントルーフレール３には、車室内側で孔４を跨ぐように薄板を曲げ加工したブラケット５がスポット溶接にて固設されている。ブラケット５は、図２に示される平面視で、幅広帯状のブラケット本体５ａと、ブラケット本体５ａから斜めに延出された分岐部５ｂとからなるト字状に形成されている。そのブラケット本体５ａが開口４ａを跨ぎ、分岐部５ｂが開口４ａと作業用開口４ｂとの間の曲折部分を跨いでいる。
【００１４】
サンバイザー１は公知の略矩形板状に形成されている。サンバイザー１の一方の長辺側である基部にはその長辺に沿ってパイプ状のアーム６が挿通されており、アーム６の軸線回りにサンバイザー１が回動し得るようにされている。アーム６は、例えばサンバイザー１の中に受容される直線状部分と、サンバイザー１から所定長突出した後略直角に曲折され、その曲折部から直線状に延出された支持軸６ａとを任意の位置で結合して形成されているものであって良い。また、支持軸６ａは合成樹脂材から一体成形されて良く、合成樹脂製のホルダ部材７により回動自在に支持されている。
【００１５】
ホルダ部材７により支持軸６ａを回動自在に支持する構造は公知の構造であり、その構造について図３を参照して概略説明する。図３に示されるように、ホルダ部材７は、支持軸６ａを挿通状態に支持するホルダ本体７ａと、ホルダ本体７ａに一体に結合された蓋状のカバー部材７ｂとを有する。ホルダ本体７ａはカバー部材７ｂから突出しかつ周方向に分割された円筒状に形成されており、ホルダ本体７ａの突出端部には内向突部が形成されている。支持軸６ａにはホルダ本体７ａに挿通状態で上記内向突部と係合する周方向溝が形成されており、それらの係合によりホルダ本体７ａに対して支持軸６ａが軸線方向に抜け止めされかつ軸線回りに回動し得る。
【００１６】
また、ブラケット本体５ａには、三角形状の組み付け孔８と、円形であって良い位置決め孔９とがそれぞれ所定位置に設けられている。ホルダ本体７ａには組み付け孔８より若干小さな相似形をなす三角フランジ部１１が一体に形成されており、カバー部材７ｂには位置決め孔９に突入し得る先端部形状を有する係合突部１２が一体に形成されている。また、図４に示されるように平面視で、ブラケット７のホルダ部材５を受ける部分（ブラケット本体５ａと分岐部５ｂとにより形成される平面）はホルダ部材５よりも大きく形成されている。
【００１７】
次に、このように形成されたホルダ部材７のブラケット５への組み付け要領について説明する。先ず三角フランジ部１１を組み付け孔８に整合させ、三角フランジ部１１がブラケット５の裏側に抜けるまでホルダ部材７を押し込む。次に、ホルダ部材７を、係合突部１２が位置決め孔９に合う方向にホルダ部材７を回し、位置が合った所で位置決め孔９に係合突部１２が突入し、組み付け孔８の軸線回りに対してホルダ部材７が位置決めされる。その状態では三角フランジ部１１と組み付け孔８とが図４に示されるように不整合になるため、ブラケット５にホルダ部材７が抜け止めされる。このようにして、ブラケット５にホルダ部材７が組み付けられる。
【００１８】
また、サンバイザー１に照明灯付き化粧鏡（図示せず）が装備されていた場合には、ハーネス用ケーブル１３ａを、図３に示されるようにパイプ状アーム６の中に通線して、フロントルーフレール３の裏側で車体のハーネス用ケーブル１３ｂとコネクタ１４を結合する場合がある。その場合には、結合前の各コネクタ１４を作業用開口４ｂから車室内側に出して結合し、結合状態のコネクタ１４を作業用開口４ｂからフロントルーフレール３の裏に収めることができる。この作業を、作業用開口４ｂを介して容易に行うことができる。また、作業用開口４ｂが車体前後方向に長い開口として設けられていることから、作業のアクセス方向が車体後方から前方に向くことになり、車室内での作業姿勢が車体後方の広いスペースに身体を位置させることができ、楽な作業姿勢で自由度が大きく、配線作業性が向上し得る。
【００１９】
このようして構成されたサンバイザー１の取り付け構造によれば、サンバイザー１を回動自在にするための支持軸６ａを支持するホルダ部材７がブラケット５を介してフロントルーフレール３に取り付けられている。サンバイザー１を車体前面側および側面側のそれぞれで使用可能にするためにはサンバイザー１を支持軸６ａで１点支持する構造となり、支持軸６ａの剛性を高くする必要がある。
【００２０】
そのような構造において、例えば車両衝突時に乗員の頭部が図３の矢印Ｆに示されるようにサンバイザー１の支持軸６ａ近傍として例えばホルダ部材７に衝当した場合に、ブラケット５が上記したように薄板材により形成されていることにより、矢印Ｆで示されるような衝当方向に対しては支持軸６ａよりもブラケット５の方の剛性が低く、ブラケット５が変形し得る。ブラケット５が変形すると、ブラケット５に一体的に組み付けられている支持軸６ａはその軸線方向に移動するが、ブラケット５（ブラケット本体５ａ）が開口４ａを跨いで設けられていることから、支持軸６ａは開口４ａ内を移動可能である。
【００２１】
これにより、例えば図３に示されているように隙間ｓに相当する移動量が確保され、かつその移動におけるブラケット５の変形により、ホルダ部材７への衝撃力が緩和される。さらに、支持軸６ａを逃がすための開口４ａと作業用開口４ｂとが互いに連通する１つの大きな孔４を形成していることから、フロントルーフレール３における孔４を外囲する部分はフロントルーフレール３の主面（車室に臨む面）に加わる荷重に対しては変形容易になり、ブラケット５を介してフロントルーフレール３にも伝達される衝撃力によりフロントルーフレール３も変形することにより、衝撃力をより一層緩和し得る。なお、通常はブラケット５により開口４を設けた部分のフロントルーフレール３として必要な強度は確保されている。
【００２２】
また、上記したようにブラケット５はホルダ部材７よりも広い面積をもってホルダ部材７を支持しており、ホルダ部材７のどの位置に衝当しても、その衝撃力がブラケット５の全体に伝達される。これにより、衝当（打点）位置に左右されずにブラケット５の全体で衝撃力を受けることができ、打点位置に関係なく支持軸６ａの移動量を確保して上記衝撃力の緩和を達成することができる。
【図面の簡単な説明】
【００２３】
【図１】本発明が適用された自動車の左前席側のサンバイザーの取り付け部分を示す要部斜視図である。
【図２】サンバイザーを取り付ける前の取り付け部分を車室側から見た平面図である。
【図３】図１の矢印III−III線に沿って見た要部断面図である。
【図４】サンバイザーの取り付け要領を示す図２に対応する図である。
【符号の説明】
【００２４】
１  サンバイザー
３  フロントルーフレール
４ａ  開口
４ｂ  作業用開口
５  ブラケット
６ａ  支持軸
７  ホルダ部材
【図１】
2010111364.tif 000003
【図２】
2010111364.tif 000004
【図３】
2010111364.tif 000005
【図４】
2010111364.tif 000006